(57)【要約】      （修正有）【課題】ペン芯を保持するペン芯保持部と、キャップ装着時に気密室を形成する為のシール部を備える筆記具を提供する。【解決手段】ペン芯３と、吸収体と、ペン芯又はペン先ホルダー２を保持し、インクを収容する軸筒１と、軸筒に装脱着可能なキャップを備え、軸筒の端部に、ペン芯を保持するペン芯保持部を有する内筒と、キャップ装着時にキャップと円周状に密接するシール部１ｃを有する外筒１１とを、空間をはさんで同心円状に配置したことを特徴とする筆記具で、好ましくは、ペン芯保持部とシール部が、軸方向において同一位置に設けてなる筆記具である。【選択図】図２
2019177611.tif 000002
【特許請求の範囲】
【請求項１】
ペン芯と、
吸収体と、
前記ペン芯又はペン先ホルダーを保持し、インクを収容する軸筒と、
前記軸筒に装脱着可能なキャップを備え、
前記軸筒の端部に、前記ペン芯を保持するペン芯保持部を有する内筒と、
キャップ装着時に前記キャップと円周状に密接するシール部を有する外筒とを、空間をはさんで同心円状に配置したことを特徴とする筆記具。
【請求項２】
前記ペン芯保持部と前記シール部が、軸方向において同一位置に設けてなる請求項1記載の筆記具。
【発明の詳細な説明】
【技術分野】
【０００１】
本考案は、ペン芯を保持するペン芯保持部と、キャップ装着時に気密室を形成する為
のシール部を備える筆記具に関する。
【背景技術】
【０００２】
従来、ペン先を保持したペン先ホルダーを軸筒先端開口の取り付部に設け、この取り付部に対応する箇所の軸筒外面にキャップを着脱自在に装着し得る装着部を設けてなるタイプの筆記具にあっては、幅広く用いられている形式の一つとなっているが、揮発性インクを使用する場合には、成形品の寸法にバラツキが生じても軸筒内の機密性を確保する必要がある。
その為に、樹脂肉厚な設計寸法で筆記具を成型すると、このようなタイプの筆記具においては、ペン先ホルダーの軸筒端部におけるペン芯保持部の箇所と、軸筒外面におけるキャップの気密を取る為のシール部の箇所とが、その軸方向において同一位置で、キャップとペン先ホルダーの間に位置された軸筒のシール部及びその近傍には多大な応力がかることになり、この応力は、殆ど逃げ場を失うことになるから、自ずと装着部は物理的破壊を招きやすくなることとなったり、嵌合が設計値どおりにならずに必要以上に嵌合が固くなるなどの問題が生じていた。シール部の寸法設計を例えば、キャップの装着操作を比較的スムーズに行うべく緩めに設定することも可能ではあるが、反面、装着不良やペン先の乾燥を惹起するなどキャップ本来の機能である気密性を充分に満たすものではなかった。
このような問題を解決するため、特許文献1には、前記ペン芯保持部の箇所を、シール部箇所に対して、軸方向に異ならせ、シール部の軸筒内側直下に隙間を設けた構成の筆記具が開示されており、キャップ装着時にシール部及びシール部近傍に発生する応力を、容易にその近辺周辺に逃がすことが出来ることが、示唆されている。
【先行技術文献】
【特許文献】
【０００３】
実開平０１-１１５５９２
【発明の概要】
【発明が解決しようとする課題】
【０００４】
しかし、特許文献１に開示される筆記具は、軸筒端部に、ペン芯を保持する為のペン先ホルダーを押圧するリブを設けている。ペン先を固定する為には、前記リブは軸方向に長く当接させるように設けるのが良いが、キャップの気密を取るためのシール部とペン芯を保持する為のリブの配置を、軸方向に異ならせるようにしなければならない為、シール部の位置が軸方向の著しく後方か、前方に配置されることとなる。シール部の位置が著しく後方となると気密室が大きくなって、気密の確保が難しくなる。一方、シール部の位置が著しく前方になると、気密が小さくなる為、気密室に収める為にペン芯及びペン先ホルダーの形状が制約される課題が生じていた。
また、１片の軸筒に前記ペン芯保持部と、キャップの気密をとる為のシール部を当該１片の軸筒の内外壁にそれぞれ設けると、ペン芯保持部とシール部を軸方向に異ならせても、キャップ装着時に、ペン芯保持部及びキャップの気密をとる為のシール部にかかる応力によって、軸筒やペン芯が撓みやすくなることとなっていた。
【課題を解決するための手段】
【０００５】
前記課題を解決する為に本発明は、次の構成を有する。ペン芯と、吸収体と、前記ペン芯又はペン先ホルダーを保持し、インクを収容する軸筒と、前記軸筒に装脱着可能なキャップを備え、前記軸筒の端部に、前記ペン芯を保持するペン芯保持部を有する内筒と、キャップ装着時に前記キャップと円周状に密接するシール部を有する外筒とを、空間をはさんで同心円状に配置したことを特徴とする筆記具。
【０００６】
上記構成において、ペン芯保持部と前記シール部が、軸方向において同一位置に設けてあることが好ましい。
【発明の効果】
【０００７】
本発明に係る筆記具では、前記ペン芯を保持するペン芯保持部を有する内筒と、キャップ装着時に前記キャップと円周状に密接するシール部を有する外筒との間に空間を設けてある為、ペン芯又はペン先ホルダーの周部に配置された軸筒のシール部及びその近傍にかかる多大な応力を緩和させることが出来る。それにより、ペン芯保持部及びシール部の当接位置及び長さを自由に設計出来、例えばペン芯保持部をペン先ホルダー及びペン先側面の全面に当接させ、ペン芯を固定し、強い筆圧や落下衝撃によってもペン芯のズレが生じないような構成にすることが出来る。また、前記内筒と外筒との間に空間を設けながら、前記ペン芯保持部と前記シール部とが軸方向において同一位置に配置させることが可能である為、ペン芯又はペン先ホルダーの周りに配置された軸筒のシール部及びその近傍にかかる多大な応力を緩和させながら、シール部の位置が、軸方向において著しくペン先方向になってペン芯及びペン先ホルダーの形状が制約されたり、装着部の位置が、軸方向において著しく後端側になって気密が取りにくい構成となることがなく、従来技術と比較し、より自由なペン先の設計が可能となる。
【図面の簡単な説明】
【０００８】
【図１】本発明の第1実施の形態を示す断面図である。
【図２】本発明の第1実施形態のキャップ装着部分断面拡大図である。
【図３】本発明の第1実施形態のペン芯保持部の部分断面拡大図（Ａ−Ａ）である。
【図４】本発明の第2実施形態のキャップ装着部分断面拡大図である。
【発明を実施するための形態】
【０００９】
以下に、図面を参照しつつ本発明の好ましい実施の形態を示す。
図１は、本発明の実施の形態を示す断面図、図２は、キャップ装着部分断面拡大図、図３は、ペン芯保持部の部分拡大断面図（Ａ−Ａ）である。
【００１０】
筆記具２０は、ペン先ホルダー２で固着されたペン芯３と、ペン芯３と連結しインキを含むインキ吸収体６と、ペン芯３、インキ吸収体６が収容された軸筒１と、軸筒１に着脱可能なキャップ４を備える。
【００１１】
前記ペン芯３は前記インキ吸収体６からインキがペン芯３へ供給せしめるものであれば、材質や製法等は限定されるものではなく、使用用途や目的によって使い分けることが望ましい。尚、ペン芯３の材質としては、ポリエステル、ポリアミド、アクリル、エラストマー、ウレタン、ポリアセタール等の合成樹脂が挙げられる。
【００１２】
例えば、上記材質のペン芯３を製造する方法としては、上記材質を繊維状に形成し、接着剤によって収束させた繊維収束体４を適宜形状に研磨切削し、加工したものが用いられる。また、上記繊維の先端をテーパー加工し、その繊維を束ねた穂先であっても良い。
【００１３】
本発明におけるペン芯３は、前記のように、ペン先ホルダー２に固着されていてもよういが、ペン先ホルダー２を設けず、ペン芯３のみを設ける構成としても良い。
【００１４】
ペン先ホルダー２は、ペン芯３を固定する為、ペン芯３に周状に当接するよう配置される。ペン先ホルダーの材質は、ポリエチレン、ポリプロピレン、ポリアセタール、ナイロン、ＡＢＳ等の熱可塑性樹脂や、ユリア、フェノール、メラミン、エポキシ、ポリブチルフタレート等の熱硬化性樹脂が挙げられる。また、金属素材にて成型することも可能であり、成型方法は、射出成型や金型成型、切削による成型など幾多の形態が考えられる。
【００１５】
また、本発明においては、ペン芯３、インキ吸収体６を軸筒１に収容させるべく、軸筒の後方より被冠する尾栓７設けても良いが、尾栓７を設けずに、有底の円柱又は角柱形状などの軸筒を設け、前記のペン芯３、インキ吸収体６を収容する形状としても良い。
【００１６】
インキ吸収体６はポリエステルやアクリル繊維を集束したいわゆる中綿、あるいはスポンジ等からなるが、その他に、吸収体を介さずに生インキを直接ペン芯へ供給するいわゆる直液式筆記具のような形態も含まれる。
【００１７】
軸筒１の開口端部は、本実施形態において、１片の樹脂軸筒部品が後端側からペン先側に向かって、それぞれ内筒１０と外筒１１とに枝状に分岐する形状をしており、内筒１０は後述するペン先ホルダー２に円周状に接するペン芯保持部１ａを備え、外筒１１には、後述するキャップ気密をとるための気密突起４ａと当接するシール部１ｃと、後述するキャップを装着する為の装着突起４ｂと当接する装着部１ｂとを備えている。本実施形態において、軸筒１は、軸筒開口部付近において、軸筒後端側からペン先側に向かって、内筒１０と外筒１１枝状に分岐しているが、本発明は、軸筒がペン先側から軸筒後端側に向かって、内筒１０と外筒１１とが枝状に分岐する形態も含まれる。
【００１８】
ペン芯保持部１ａは、ペン芯３又はペン芯３を周状に覆うペン先ホルダー２を保持するものであり、また、ペン芯保持部１ａはペン芯３又はペン芯３を周状に覆うペン先ホルダー２を保持する為、樹脂形状が周状に凹凸を有している。このペン芯保持部１ａの樹脂形状は、本実施形態に限られず、ペン芯３又はペン芯３を周状に覆うペン先ホルダー２に接し、それらを保持するものであれば、接地面積や、接地数、凹凸の形状は、幾多の形態が考えられる。
【００１９】
シール部１ｃは、本実施形態において、前記軸筒端部の外筒１１のペン先側部分近傍に配置されており、キャップ４に配置されたキャップ気密を取るための気密突起４aと当接する箇所を指す。本実施形態において、シール部１ｃの材質は、その他軸筒部分と同様の樹脂素材であり、形状についても特段突起などを設けていないが、例えば突起を設けたり、キャップ４と密着し、気密性を高めるため、シール部１ｃを軟質材料とするなど、幾多の形態が考えられる。
【００２０】
装着部１ｂは、本実施形態において、前記シール部１ｃの外側即ち軸筒後端側に配置され、キャップ４に配置されたキャップを装着するための装着突起４ｂと当接する箇所を指す。装着部１ｂは、前記外筒に備えられていても良いが、前記装着突起４ｂと当接し、キャップの挿脱着を可能とするものであれば、外筒よりも後端側の軸筒開口部付近に設けられていても良い。本実施形態において、装着部１ｂの材質は、その他軸筒部分と同様の樹脂素材であるが、キャップと軸筒を脱着可能とするものであれば、特に材質を問わず、突起形状のほか、幾多の形態が考えられる。
【００２１】
キャップ４は、開口部付近に、周上に突設された装着突起４ｂを備え、またこの装着突起４ｂよりも内奥即ちペン先側には、突設された気密突起４ａを備えている。キャップ４は、軸筒開口部に備えられたシール部１ｃと、装着部１ｂと円周上に接し、キャップ４装着時は、気密突起４ａとシール部１ｃとの接点を境界として、キャップ４の内側樹脂で覆われた空間の気密が保たれるように設計されている。キャップ４の形状は、本実施形態の様に、ペン芯を保護し、気密室９を形成する内キャップ５ａの外周に、筒状型の外キャップ５ｂが形成されている２重キャップ構造をとるが、本発明におけるキャップ形状は、２重のキャップ構造をとらない１重キャップ構造、形態についても円筒型など、幾多の形態が考えられる。
【００２２】
気密室９は、キャップ４の内キャップ５ａ内側と、キャップ４装着時に、キャップ４に備える気密リブ４ａと軸筒１の外筒に備えるシール部１ｃとで、密閉される空間を指し、この密閉室９の気密が保たれることにより、ペン芯３の乾燥を防止することが出来る。
【００２３】
装着突起４ｂは前記装着部１ｂとキャップ４との装着性をより良好となすべく設けられた突起であり、周状に突起形状を有している。本実施形態における装着突起４ｂの突起は１つであるが、キャップ４の挿脱着を行うことができれば、突起を２つ以上設けても良いし、形状・材質は問わない。
【００２４】
なお、気密室９の気密の確保しつつ、キャップの挿脱着が可能であれば、装着突起４ｂ及び装着部１ｂを設けない構成も考えられる。
【００２５】
気密突起４ａは、キャップ４内の前記の装着突起４ｂよりもペン先側に設けられ、キャップ４の気密性を確保し、ペン芯３の乾燥防止を図るために設けられた突起である。本実施形態における装着突起４ｂの突起は1つであるが、キャップ４の気密を確保することができれば、突起を２つ以上設けても良い。材質についても、軸筒１との密着性を高めるため、軟質素材のものを採用しても良いし、内側に軟質素材を一定の厚みで配置させても良い。
【００２６】
本実施形態において、気密突起４ａの形成箇所は、軸方向において、前記ペン芯保持部１ａと異なる位置に配置されている。また、気密突起４ａと接する外筒１１と、ペン芯保持部を備える内筒１０は、軸筒開口端部で分岐し、外筒１１のシール部１ｃと気密突起４ａ及び内筒１０のペン芯保持部１ａとペン先ホルダー２との接点がそれぞれ空間を介して配置されているため、前記のように軸筒開口部で分岐せず、１片の軸筒にペン芯保持部１ａとシール部１ｃとを有し、ペン芯保持部１ａがペン先ホルダー２と、シール部１ｃが気密突起４ａとそれぞれ接している場合と比較し、ペン芯３を強固に保持しつつ、キャップ４装着時にシール部及びシール部近傍に発生する応力を、容易にその近辺周辺に逃がすことが出来る。また、成型寸法の誤差が生じても、キャップ嵌合力を安定させることが出来る。
【００２７】
図２、図３に示すように、ペン芯保持部１ａを有する内筒１０と、シール部１ｃと装着部１ｂを有する外筒１１は、ペン芯を中心として、同心円状に配置されており、内筒１０と外筒１１との間には、空間８を有している。空間の厚さは特に規定していないが、樹脂肉厚を確保出来る程度に設けてあることが望ましく、０．５ｍｍ〜１．０ｍｍ程度であることが望ましい。外筒１１及び内筒１０の断面外径は、真円であることが望ましいが、気密室９の気密を確保できるものであれば形態は問わない。
【００２８】
上記構成によりなる筆記具においては、キャップ４を軸筒１先端の装着部１ｂ、シール部１ｃに装着させようとする場合、キャップ４の装着突起４ｂが軸筒1の装着部１ｂを強く軸芯方向に押圧しながらこれを乗り越えその装着操作が完了することになる。また、キャップ４の気密突起４ａとシール部１ｃは、装着部１ｂの箇所と比較し、強い嵌合力を持って円周状に接する為、その近傍には強い応力がかかる。
このときに軸筒１のペン芯保持部１ａの後方の位置であり気密を確保する為に設けられた気密突起４ａの直下には空間８が形成される為に、先のキャップ４の装着時の押圧による応力は自ずと消失されることとなる。また、本発明の筆記具は、気密突起４ａと接する外筒１１と、ペン芯保持部1aを備える内筒１０は、軸筒開口端部で分岐し、外筒１１のシール部１ｃと気密突起４ａ及び内筒１０のペン芯保持部１ａとペン先ホルダー２との接点が、それぞれ空間を介して配置されている為、軸筒開口部で分岐せず、１片の軸筒にペン芯保持部１ａとシール部１ｃとを有し、ペン芯保持部１ａがペン先ホルダー２と、シール部１ｃが気密突起４ａとそれぞれ接している場合と比較し、ペン芯を強固に保持しつつ、キャップ装着時にシール部及びシール部近傍に発生する応力を、容易にその近辺周辺に逃がすことが出来る。よって気密リブ４ａ、装着リブ４ｂ近傍部分の破壊や、寸法成型誤差によるキャップ嵌合値のバラツキは生じ難くなり、またキャップ４の装着不良や気密不足によるペン芯乾燥を防止することが出来るのである。
【００２９】
また、上記構成によりなる筆記具において、装着部１ｂとシール部１ｃが外筒に配置されている場合は、装着キャップ４を軸筒１先端の装着部１ｂ、シール部１ｃに装着させ、キャップ４の装着突起４ｂが軸筒１の装着部１ｂを強く軸芯方向に押圧しながらこれを乗り越えその装着操作が完了した場合に、装着部1ｂ及びシール部１ｃ近傍に強い応力がかかって、外筒１１が撓んでも、空間８がその応力を逃し、内筒１０には応力がほとんどかかることはない。
さらに、シール部1ｃが外筒１１に配置され、装着部１ｂが前記外筒１１よりも後端側の軸筒開口部付近に配置された場合であっても、装着キャップ４を軸筒１先端の装着部１ｂ、シール部１ｃに装着させ、キャップ４の装着突起４ｂが軸筒１の装着部１ｂを強く軸芯方向に押圧しながらこれを乗り越えその装着操作が完了した場合に、装着部1ｂ及びシール部１ｃ近傍に強い応力がかかっても、前記空間８及び軸筒内側に設けられる空間がその圧力を逃し、内筒１０には応力がほとんどかからないことは言うまでもない。
【００３０】
図４は、本発明による筆記具の第２実施例を示す。
図４において、軸筒１は軸筒開口部で、内筒１０と外筒１１とに分岐しており、内筒１０はペン先ホルダー２に円周状に接するペン芯保持部１aを備え、外筒１１には、キャップ気密をとるための気密突起４aと当接するシール部１ｃと、キャップを装着する為の装着突起４ｂと当接する装着部１ｂとを備えている。
キャップ４は、開口部付近に、周上に突設された装着突起４ｂを備え、またこの装着突起４ｂよりも内奥即ちペン先側には、突設された気密突起４aを備えている。
上記実施例と異なり、軸方向において、キャップ４の気密を確保し、ペン芯の乾燥防止を図るために設けられた気密突起４ａと円周上に接するシール部１ｃは、軸方向において、前記ペン芯保持部１ａと同位置に存在する。
【００３１】
上記構成による筆記具は、実施例１と同様に、前記ペン芯を保持するペン芯保持部を有する内筒１０と、キャップ装着時に前記キャップと円周状に密接するシール部１ｃを有する外筒１１との間に空間を設けてある為、ペン芯３又はペン芯３を覆うペン先ホルダー２に周状に接するシール部１ｃ及びその近傍にかかる多大な応力を緩和させることが出来る。
【００３２】
また、本実施例では、実施例１と比較し、気密突起４ａの軸方向における設置位置が同一位置に配置出来る為、設置位置が著しく後端側となって、気密室９が大きくなり、気密の確保が難しくなったり、シール部の位置が著しくペン先側になって、気密室が小さくなり、気密室に収める為にペン芯３及びペン先ホルダー２の形状が制約されるなどの問題が生じにくい。
【００３３】
本発明においては、上記実施例に示すもの以外に、例えば、前記内筒１０装着部１ｂのリブの数を任意に設けることもでき、またキャップ４の軸筒１に対する装着手段として、上記のようにリブを設ける突対突による嵌合以外に螺合等も採用しうること勿論であり、幾多の様態が考えられる。
【００３４】
以上、現時点において最も実践的でありかつ好ましいと思われる実施形態に関連して本発明を説明したが、本発明は本願明細書中に開示された実施形態に限定されるものではなく、請求の範囲および明細書全体から読み取れる発明の要旨あるいは思想に反しない範囲で適宜変更可能であり、そのような変更を伴う筆記具もまた技術的範囲に包含されるものとして理解されなければならない。 
【符号の説明】
【００３５】
１      軸筒
１ａ    ペン芯保持部
１ｂ    装着部
１ｃ    シール部
２      ペン先ホルダー
３      ペン芯
４      キャップ
４ａ    気密突起
４ｂ    装着突起
５ａ    内キャップ
５ｂ    外キャップ
６      インキ吸収体
７      尾栓
８      空間
９      気密室
１０    内筒
１１    外筒
２０  筆記具
【図１】
2019177611.tif 000003
【図２】
2019177611.tif 000004
【図３】
2019177611.tif 000005
【図４】
2019177611.tif 000006